(57)【要約】【課題】前面からの操作により写真等を取り替えることができ、その取替作もを簡単かつスムーズに行える額を提供する。【解決手段】本発明の額は、額本体２と、開閉レバー３とを備える。額本体２は、矩形状の枠体１０を有し、その枠体１０の前面側に、台紙４、写真６、透明シート５等を設置するためのシート設置部１０ａが設けられる。開閉レバー３は、額本体２の両側に設けられ、シート設置部１０ａの縁部に対し接離する態様に開閉する。開閉レバー３が閉じた状態では、レバー自身の弾性力によって、シート類４〜６の両側縁部を押圧してシート設置部１０ａに抑圧固定する。開閉レバー３が開いた状態では、その開閉レバー３がシート類４〜６から離間して、シート類４〜６の抑圧を解除する。【選択図】      図１
2004223119.tif 000002
【特許請求の範囲】
【請求項１】
前面側に、写真等の掲示物や、その掲示物を覆う透明シート等のシート類を設置するためのシート設置部が設けられた額本体と、
前記額本体の少なくとも一辺に設けられ、前記シート設置部の縁部に対し接離する態様に開閉する開閉部材とを備え、
前記開閉部材が閉じた状態では、その開閉部材が、弾性力によって前記シート設置部の縁部に押圧される一方、
前記開閉部材が開いた状態では、その開閉部材が、前記シート設置部に対し前方へ離間するよう構成されてなることを特徴とする額。
【請求項２】
前記開閉部材が、前記額本体の両側にそれぞれ設けられてなる請求項１記載の額。
【請求項３】
前記額本体は、その背面を壁面に密着させた状態で壁面に固定されるよう構成されてなる請求項１又は２記載の額。
【請求項４】
前記額本体がその背面を壁面に密着させて固定された状態において、前記開閉部材と壁面との間に隙間が形成され、開閉位置にかかわらず前記開閉部材の壁面に対する干渉が防止されるよう構成されてなる請求項１ないし３のいずれかに記載の額。
【請求項５】
前記額本体は、上下枠及び両側枠からなる枠体を有し、
前記枠体は、前記上下枠の中間部間に架け渡される縦桟と、前記両側枠の中間部間に架け渡される横桟とを有し、
前記縦桟及び横桟の交差部の背面位置が、前記額本体の外周における背面位置よりも前方に配置され、
前記額本体がその外周背面が壁面に接合した状態で、前記縦桟及び横桟が壁面側に弾性変形されつつ、前記交差部が壁面に接合して固定されるよう構成されてなる請求項１ないし４のいずれかに記載の額。
【請求項６】
前記開閉部材は、前記額本体に回転自在に支持される回転軸部と、その回転軸部よりも内側に設けられた押圧部と、前記回転軸部よりも外側に設けられた操作部とを有する開閉レバーをもって構成され、
前記押圧部によって前記シート設置部の縁部を押圧した状態において、前記操作部を背面側に押操作することによって、前記押圧部が前記シート設置部から離間するよう構成されてなる請求項１ないし５のいずれかに記載の額。
【請求項７】
前記操作部を背面側に押操作して前記開閉レバーを開いた際に、そのレバーを開いた状態に保持するためのレバー保持手段が設けられてなる請求項６記載の額。
【請求項８】
前記シート設置部に設置される透明シートを、更に備え、
前記透明シートの端縁に爪片が設けられるとともに、前記額本体におけるシート設置部の端縁に、前記爪片を挿入係合するための爪差込孔が形成されてなる請求項１ないし７のいずれかに記載の額。
【請求項９】
前記シート設置部に設置される透明シートを、更に備え、
前記透明シートは、艶消し処理が施されてなる請求項１ないし８のいずれかに記載の額。
【発明の詳細な説明】
【０００１】
【発明の属する技術分野】
この発明は、写真、ポスター、絵画等の掲示物を壁面や飾り棚等に掲示する際等に用いられる額に関する。
【０００２】
【従来の技術】
従来、写真やポスター等の掲示物を壁面に飾り付けるための額としては、背面側に設けられた背面板を取り外して、背面側を開放し、その開放部を介して、写真等の出し入れを行うようにしたものが一般的である。
【０００３】
このような額は、背面側から写真を取り替えるものであるため、写真の取替時には、その都度、額を壁面から取り外す必要があり、写真取替作業が困難であった。
【０００４】
そこで、下記特許文献１には、前面ないしは側方から、掲示物を取り替えるように構成された額縁が開示されている。
【０００５】
この額縁は、周囲４本の枠部材によって、台板、写真及び透明板等の被支持板類の周囲四辺を支持する一方、所定の枠部材が、長手方向軸心回りに回動自在に構成されている。そして、写真等を取り替える際には、所定の枠部材を外側に回転させることにより、その枠部材の被支持板類に対する支持を解除して、被支持板類を前方ないしは側方へ取り出すようにしたものである。
【０００６】
【特許文献１】
特公平７−８７８１３号（請求項１、第８−１１図）
【０００７】
【発明が解決しようとする課題】
ところで、上記特許文献１に示す額縁は、その枠部材が構造材であるため、高い強度が必要となる。このため、被支持板類を支持した状態において、枠部材は、所定の強度が得られるように強固に組み付けられており、回動が強く規制されている。換言すれば、写真等を取り出すために、枠部材を回動操作する際には、予想以上に強い操作力を必要とするため、写真等の取出作業を簡単に行えないという問題を抱えている。
【０００８】
この発明は、上記従来技術の問題を解消し、前面からの操作により写真等の掲示物を取り替えることができる上更に、その取替作業を簡単かつスムーズに行うことができる額を提供することを目的とする。
【０００９】
【課題を解決するための手段】
上記目的を達成するため、この発明の額は、前面側に、写真等の掲示物や、その掲示物を覆う透明シート等のシート類を設置するためのシート設置部が設けられた額本体と、前記額本体の少なくとも一辺に設けられ、前記シート設置部の縁部に対し接離する態様に開閉する開閉部材とを備え、前記開閉部材が閉じた状態では、その開閉部材が、弾性力によって前記シート設置部の縁部に押圧される一方、前記開閉部材が開いた状態では、その開閉部材が、前記シート設置部に対し前方へ離間するよう構成されてなるものを要旨としている。
【００１０】
本発明の額においては、開閉部材を前方に開くだけで、前面からの操作により簡単に写真等を取り替えることができる。更に開閉部材は、構造材としての額本体とは別に設けるものであるため、開閉部材の動きを必要以上に強く規制しなくとも良く、開閉部材を小さい操作力で開くことができる。
【００１１】
本発明においては、前記開閉部材が、前記額本体体の両側にそれぞれ設けられてなる構成を採用するのが好ましい。
【００１２】
すなわちこの構成を採用する場合には、写真等の両側縁部を抑圧固定することができるので、写真等を安定状態に保持することができる。
【００１３】
本発明の額は、前面からの操作により写真等を取り替えることができるので、壁付けタイプとして好適に用いることができる。
【００１４】
すなわち本発明において、前記額本体は、その背面を壁面に密着させた状態で壁面に固定されるよう構成されてなるものを採用するのが良い。
【００１５】
本発明においては、前記額本体がその背面を壁面に密着させて固定された状態において、前記開閉部材と壁面との間に隙間が形成され、開閉位置にかかわらず前記開閉部材の壁面に対する干渉が防止されるよう構成されてなるものを採用するのが望ましい。
【００１６】
すなわちこの場合には、額本体を壁付けした状態であっても、開閉部材の開閉操作を、より一層確実に行うことができる。
【００１７】
また本発明において、前記額本体は、上下枠及び両側枠からなる枠体を有し、前記枠体は、前記上下枠の中間部間に架け渡される縦桟と、前記両側枠の中間部間に架け渡される横桟とを有し、前記縦桟及び横桟の交差部の背面位置が、前記額本体の外周における背面位置よりも前方に配置され、前記額本体がその外周背面が壁面に接合した状態で、前記縦桟及び横桟が壁面側に弾性変形されつつ、前記交差部が壁面に接合して固定されるよう構成されてなるものを採用するのが、より好ましい。
【００１８】
すなわちこの場合には、縦桟及び横桟の弾性反発力によって、額本体の外周縁部背面側を壁面に密着させることができるため、額本体の外周縁部が壁面から浮き上がったり、額本体が不用意に回転して位置ずれする等の不具合を有効に防止することができる。
【００１９】
更に本発明において、前記開閉部材は、前記額本体に回転自在に支持される回転軸部と、その回転軸部よりも内側に設けられた押圧部と、前記回転軸部よりも外側に設けられた操作部とを有する開閉レバーをもって構成され、前記押圧部によって前記シート設置部の縁部を押圧した状態において、前記操作部を背面側に押操作することによって、前記押圧部が前記シート設置部から離間するよう構成されてなるものを採用するのが、より望ましい。
【００２０】
すなわちこの場合には、開閉レバーの開閉操作を、より一層スムーズに行うことができる。
【００２１】
また本発明においては、前記操作部を背面側に押操作して前記開閉レバーを開いた際に、そのレバーを開いた状態に保持するためのレバー保持手段が設けられてなる構成を採用するのが、より一層好ましい。
【００２２】
すなわちこの構成を採用する場合には、開閉レバーが開いた際にレバーが閉じないように手で支えておく必要がなく、開閉レバーから手を離して、両手で写真等の出し入れを行うことができる。
【００２３】
更に本発明においては、前記シート設置部に設置される透明シートを、更に備え、前記透明シートの端縁に爪片が設けられるとともに、前記額本体におけるシート設置部の端縁に、前記爪片を挿入係合するための爪差込孔が形成されてなる構成を採用するのが、より一層望ましい。
【００２４】
すなわちこの構成を採用する場合には、透明シートの前方への浮き上がりを有効に防止することができる。
【００２５】
また本発明においては、前記シート設置部に設置される透明シートを、更に備え、前記透明シートは、シボ加工等による艶消し処理が施されてなる構成を採用するのが、なお一層好ましい。
【００２６】
すなわちこの構成を採用する場合、蛍光灯等の照明光が、透明シートに直接反射することなく乱反射するので、透明シート内の写真（６）が直接反射光により目視できなくなる等の不具合を防止することができる。
【００２７】
【発明の実施の形態】
図１ないし図４はこの発明の実施形態である額（１）を示す図である。これらの図に示すように、本実施形態の額（１）は、硬質合成樹脂の一体成形品により構成される額本体（２）と、額本体（２）の両側に設けられ、かつ開閉部材を構成する硬質合成樹脂製の開閉レバー（３）と、厚紙からなる台紙（４）と、全域にシボ加工による艶消し処理が施された透明ないしは半透明な合成樹脂製の透明シート（５）とを備えている。
【００２８】
額本体（１）は、上枠（１１）、下枠（１２）及び両側枠（１３）（１３）からなる矩形状の枠体（１０）を有している。上下枠（１１）（１２）の両端部は、側方に突出されて、側方突出部（１１ａ）（１２ａ）がそれぞれ形成されている。図４に示すように上枠（１１）の側方突出部（１１ａ）における下面側、及び下枠（１２）の側方突出部（１２ａ）における上面側には、位置決め用切欠部（１１ｂ）（１２ｂ）がそれぞれ形成されている。
【００２９】
両側枠（１３）（１３）の上下方向中間部には、側方に突出するようにレバー支持片（１５）（１５）がそれぞれ一体形成されるとともに、両レバー支持片（１５）の上下両端面には、レバー支持用切欠部（１５ａ）（１５ａ）がそれぞれ形成されている。
【００３０】
図２及び図３に示すように、上下枠（１１）（１２）の中間部間には、その間を架け渡すようにして縦桟（１７）が一体形成されるとともに、両側枠（１３）（１３）の中間部間には、その間を架け渡すようにして横桟（１８）が一体形成されている。
【００３１】
更に縦桟（１７）及び横桟（１８）が交差して一体化された部分には、取付孔（１９）が形成されている。
【００３２】
また図６に示すように枠体（１０）における上下枠（１１）（１２）は、前方に突出するように形成されるとともに、図８に示すように両側枠（１３）（１３）の外側縁には、前方に突出するように位置決め片（１３ａ）（１３ａ）が形成されている。更に上下枠（１１）（１２）及び位置決め片（１３ａ）（１３ａ）によって囲まれる枠体（１０）の各部位は、その前面側が同一平面内に配置されている。そして本実施形態においては、枠体（１０）の前面側における上下枠（１１）（１２）及び位置決め片（１３ａ）（１３ａ）によって囲まれる矩形領域が、シート設置部（１０ａ）として構成されている。
【００３３】
図４及び図６に示すように、開閉レバー（３）は、上記枠体（１０）における上下枠（１１）（１２）の側方突出部（１１ａ）（１２ａ）間に、適合し得る形状に形成されており、シート設置部（１０ａ）の両側端縁から上下枠（１１）（１２）における両側突出部（１１ａ）（１２ａ）の先端にかけて配置されるレバー本体（３１）を有している。このレバー本体（３１）は、そのシート設置部（１０ａ）側（内側）の端縁が押圧部（３１ａ）として構成されるとともに、反対側（外側）が操作部（３１ｂ）として構成されている。
【００３４】
レバー本体（３１）の背面側には、上記レバー支持片（１５）の切欠部（１５ａ）に対応して、支持アーム（３３）が一体形成されており、この支持アーム（３３）の先端に突出軸部（３４）が一体形成されている。
【００３５】
また開閉レバー（３）の上下両端には、位置決め用突部（３５）が一体に形成されている。
【００３６】
そして、突出軸部（３４）がレバー支持片（１５）の切欠部（１５ａ）内に回転自在に挿入されるとともに、位置決め用突部（３５）が上下枠（１１）（１２）の両側突出部（１１ａ）（１２ａ）における位置決め用切欠部（１１ｂ）（１２ｂ）内にスライド自在に挿入される。これにより、開閉レバー（３）が突出軸部（３４）を支点に開閉自在に構成されて、図６に示すように同図反時計方向に回転して閉じた状態においては、開閉レバー（３）の押圧部（３１ａ）がシート設置部（１０ａ）の側端縁に接触する一方、図７に示すように同図時計方向に回転して開いた状態においては、開閉レバー（３）の押圧部（３１ａ）がシート設置部（１０ａ）から前方へ離間するよう構成されている。
【００３７】
ここで図６に示すように、額本体（２）のレバー支持片（１５）には、レバー本体（３１）の裏面に向けて突出するレバー動作制御用突部（１６）が形成されている。この突部（１６）の外周には山部（１６ａ）が形成されるとともに、その山部（１６ａ）の外側には、直線状の傾斜部（１６ｂ）が形成されている。
【００３８】
更に開閉レバー（３）は、組付状態においては、自身の弾性反発力によって、レバー本体（３１）の裏面側がレバー動作制御用突部（１６）の外周に圧接されており、開閉レバー（３）が閉じる方向へ回転する際に、レバー（３）の重心位置が山部（１６ａ）の内側に移動すると、レバー（３）が、その山部（１６ａ）への圧接力によって、閉じる方向へ回転付勢されて、レバー本体（３１）の押圧部（３１ａ）がシート設置部（１０ａ）に押圧される。更にこの押圧状態においては、開閉レバー（３）の上下両端に設けられた位置決め用突部（３５）が、額本体（２）の位置決め用切欠部（１１ｂ）（１２ｂ）における底部に係合することにより、レバー（３）が、閉じる方向へ過回転するのが防止されるよう構成されている。
【００３９】
また開閉レバー（３）が開く方向へ回転する際に、レバー（３）の重心位置が山部（１６ａ）の外側に移動すると、レバー（３）が、その山部（１６ａ）への圧接力によって、開く方向へ回転付勢される。更に図７に示すように開く方向に回転して、レバー（３）の重心位置が傾斜部（１６ｂ）のほぼ中心位置に配置されると、レバー本体（３１）の裏面が傾斜部（１６ｂ）に圧接係合することにより、その状態（開いた状態）でレバー（３）が保持されるよう構成されている。なおこの開放保持状態においては、レバー本体（３１）の操作部（３１ｂ）は、額本体（２）の背面における壁面取付位置よりも前方に配置されている。
【００４０】
ここで、本実施形態においては、レバー動作制御用突部（１６）の傾斜部（１６ｂ）により、レバー保持手段が構成されている。
【００４１】
図１に示すように、台紙（４）は、シート設置部（１０ａ）に対応する大きさに形成されており、シート設置部（１０ａ）に適合状態に設置される。図６ないし図９に示すようにこの台紙（４）は、その外周縁が上下枠（１１）（１２）の内側面及び位置決め片（１３ａ）（１３ａ）に係止することにより、左右上下方向の位置ずれが防止されている。
【００４２】
透明シート（５）は、シート設置部（１０ａ）に対応する大きさに形成されており、上下両端縁における両側部に爪片（５ａ）が一体に形成されている。なお図８及び図９に示すように、これらの爪片（５ａ）に対応して、額本体（２）の上下枠の内側面には、爪差込孔（１１ｃ）（１２ｃ）が形成されている。
【００４３】
本実施形態の額（１）は、以上の構成要素を備えており、例えば額本体（２）を壁付けする場合には、図５の想像線に示すように、額本体（２）の中心部におけるねじ孔（１９）に挿通したねじ（２０）を壁面（Ｗ）に取付金具（２１）を介して固定する。このとき、縦桟（１７）及び横桟（１８）が壁面（Ｗ）側に弾性変形されて、その反発力によって、枠体（１０）の外周縁部背面側が壁面（Ｗ）に密着される。従って、額本体（２）の外周縁部が壁面（Ｗ）から浮き上がったり、額本体（２）が不用意に回転して位置ずれする等の不具合を確実に防止することができる。
【００４４】
なお図５においては、発明の理解を容易にするため、横桟（１８）の撓み量を誇張して示しているが、実際には、縦桟（１７）及び横桟（１８）の撓み変形量は、１ｍｍ程度で十分である。
【００４５】
一方、本実施形態の額（１）に、写真（６）等の掲示物を収容するには、開閉レバー（３）をその操作部（３１ｂ）を押し込んで開く。このとき、上記したように開閉レバー（３）は開放状態に保持される。そしてその状態で、シート設置部（１０ａ）に台紙（４）を介して写真（６）を設置する。
【００４６】
続いて透明シート（５）を、適当に撓ませて上下両端縁の爪片（５ａ）を額本体（２）の対応する爪差込孔（１１ｃ）（１２ｃ）に差し込みつつ、写真（６）を覆うようにシート設置部（１０ａ）上に設置する。
【００４７】
そして開閉レバー（３）を操作部（３１ｂ）を手前に引き上げて、閉じる方向に回転させる。これにより開閉レバー（３）の押圧部（３１ａ）が、透明シート（５）の両側端縁に圧接し、この透明シート（５）を介して写真（６）及び台紙（４）がシート設置部（１０ａ）に押し付けられて保持されて、写真（６）の収容作業が完了する。
【００４８】
また本実施形態の額（１）において、写真（６）を取り替える場合には、まず開閉レバー（３）をその操作部（３１ｂ）を押し込んで、開放状態に保持しておく。その状態で、透明シート（５）を撓ませて爪片（５ａ）を爪差込孔（１１ｃ）（１２ｃ）から抜き取って取り外し、続けて写真（６）及び必要に応じて台紙（４）を取り出す。
【００４９】
その後、写真（６）を取り替えて、新たな写真（６）を上記と同様にして、額本体（２）に収容する。こうして写真（６）の取替作業が完了する。
【００５０】
以上のように、本実施形態の額（１）によれば、シート設置部（１０ａ）の両側に、前方へ開放可能な開閉レバー（３）を設けるものであるため、開閉レバー（３）を開いた状態で、シート設置部（１０ａ）上に写真（６）や透明シート（５）等を設置した後、開閉レバー（３）を閉じて、透明シート（５）の前面両側を押圧固定することにより、写真（６）を収容状態に保持することができる。更に写真（６）を取り替える場合には、開閉レバー（３）を開けば、透明シート（５）の固定が解除されるので、透明シート（５）及び写真（６）を取り出して、写真（６）を交換し、その写真（６）を上記したように収容すれば良い。
【００５１】
このように写真（６）の収容及び取出作業を、額（１）の前面側から行うことができるため、写真（６）の取替時に額（１）を壁面（Ｗ）から取り外す必要がなく、取替作業を容易に行うことができる。更に写真（６）の収容作業を額（１）の前面側から行うことができるため、写真（６）をその位置関係等を目視により確認しながら思い通りに収容することができ、写真収容作業を、一層簡単に行うことができる。
【００５２】
また本実施形態の額（１）は、構造材としての枠体（１０）とは別に、開閉レバー（３）を設けるものであるため、開閉レバー（３）に、構造材としての高い強度が要求されることがなく、レバー（３）の動きを、強く規制しなくとも良い。つまり、開閉レバー（３）は、写真等を抑圧保持するだけの小さい弾性力によって閉じられるものであるため、開閉レバー（３）を開く際に、小さい操作力でスムーズに開くことができ、写真収容や取出作業を、より一層簡単に行うことができる。
【００５３】
しかも本実施形態においては、開閉レバー（３）を梃子の作用に基づいて開閉するよう構成しているため、レバー（３）の開閉操作を、より小さい操作力でスムーズに行うことができる。
【００５４】
更に本実施形態においては、開閉レバー（３）を両側部に設けるものであるため、写真（６）や透明シート（５）の両側縁部を抑圧固定することができ、写真等を安定状態に保持することができる。
【００５５】
また本実施形態の額（１）は、開閉レバー（３）を閉じた状態で、開閉レバー（３）の操作部（３１ｂ）と壁面（Ｗ）との間に隙間を形成するように構成して、開閉レバー（３）を開いた際に操作部（３１ｂ）が壁面（Ｗ）に干渉しないようにしているため、額（１）を壁面（Ｗ）から取り外すことなく、開閉レバー（３）の開閉操作、つまり写真等の出し入れ操作を確実に行うことができる。
【００５６】
更に本実施形態においては、開閉レバー（３）を開いた際に、その状態に保持されるよう構成しているため、写真（６）等の出し入れを行う際に、開閉レバー（３）が自動的に閉じてしまわないように、レバー（３）を手で押さえておく必要がない。従って、開閉レバー（３）から手を離して、両手で写真等の出し入れ操作を行うことができるので、その出し入れ操作を、より一層簡単にかつスムーズに行うことができる。
【００５７】
本実施形態においては、額本体（２）の縦桟（１７）及び横桟（１８）が交差する中心部を壁面（Ｗ）に固定した際に、縦桟（１７）及び横桟（１８）の反発力によって、額本体（２）の外周縁部背面側を壁面（Ｗ）に密着させるものであるため、額本体（２）の外周縁部が壁面（Ｗ）から浮き上がったり、額本体（２）が不用意に回転して位置ずれする等の不具合を有効に防止することができる。
【００５８】
更に本実施形態においては、透明シート（５）の上下両端縁に爪片（５ａ）を形成して、その爪片（５ａ）を、上下枠（１１）（１２）の爪差込孔（１１ｃ）（１２ｃ）に差し込んだ状態で、透明シート（５）をシート設置部（１０ａ）に設置するものであるため、爪片（５ａ）が爪差込孔（１１ｃ）（１２ｃ）に係合することにより、透明シート（５）の左右方向中間部が前方に浮き上がるのを防止することができる。
【００５９】
また本実施形態においては、透明シート（５）にシボ加工による艶消し処理を施しているため、蛍光灯等の照明光が、透明シート（５）に直接反射することなく乱反射するので、透明シート（５）内の写真（６）が直接反射光により目視できなくなる等の不具合を防止することができる。
【００６０】
なお上記実施形態にいては、開閉レバー（３）を額本体（２）の両側に設けるようにしているが、それだけに限られず、本発明は、開閉レバー等の開閉部材を、額本体の周囲四辺のうちすくなくともいずれかの一辺に設けるようにすれば良い。もっとも、写真等を安定状態に保持するには、左右や上下の対向する二辺に開閉部材を設けるのが好ましい。更に本発明において開閉部材を、三辺あるいは四辺全てに設けるようにしても良いが、この場合には、写真収容取出時におけるレバー等の操作回数が多くなるので、操作性の低下を来したり、またレバー数の増加により、構造の複雑化を来す恐れがある。
【００６１】
更に本発明においては、開閉部材を、所定の辺に設ける場合、必ずしも、その辺の全域に連続して設ける必要はなく、辺の一部に部分的に設けるようにしても良い。
【００６２】
また上記実施形態においては、台紙（４）、写真（６）及び透明シート（５）を重ね合わせてシート設置部（１０ａ）に設置するようにしているが、本発明はそれだけに限られず、例えば透明シートを用いずに、台紙上に設置した写真を開閉レバーにより直接押圧固定するようにしても良く、更に台紙を用いずに、シート設置部に設置した写真を直接又は透明シートを介して開閉レバーにより押圧固定するようにしても良い。
【００６３】
更に言うまでもなく、本発明において、シート類という場合、フィルム等の薄いシートに限られず、ガラス板、合成樹脂板、木質板等、厚いシートも含まれる。
【００６４】
また上記実施形態においては、透明シート（５）の上下両端縁に爪片（５ａ）を設けるようにしているが、本発明において、この爪片は必ずしも設ける必要はなく、例えば透明シート（５）の上下両端縁を上下枠（１１）（１２）に係合させて位置決めするようにしても良く、更に透明シート（５）の上下両端縁全域を、上下枠（１１）（１２）に形成したスリット等に差し込んで位置決めするようにしても良い。
【００６５】
また本実施形態においては、額（１）を壁面（Ｗ）にねじ止めにより固定するようにしているが、本発明はそれだけに限られず、額（１）を紐等で吊り下げて壁面等に固定するようにしても良い。
【００６６】
更に本発明の額は、壁付けタイプのものに限定されず、例えば飾り棚等に設置するようにした設置タイプのものにも適用することができる。この場合例えば図１０に示すように、額（１）の下端中央に支持脚（７）を固定し、その支持脚（７）の下端に設置板（８）を設け、その設置板（８）を棚等に設置することにより、額（１）を自立できるように構成することも可能である。
【００６７】
また上記実施形態においては、開閉レバー（３）を自身の弾性力によって閉じる方向に回転付勢するようにしているが、本発明はそれだけに限られず、巻ばね等のばねや、合成ゴム等の弾性部材によって、開閉レバー等の開閉部材を閉じる方向に付勢するようにしても良い。
【００６８】
【発明の効果】
以上のように、本発明の額によれば、シート設置部の側部に前方へ開放可能な開閉部材を設け、その開閉部材を閉じて、写真等の縁部を抑圧固定するものであるため、開閉部材を前方に開くだけで、前面からの操作により簡単に写真等を取り替えることができる。更に開閉部材は、構造材としての額本体とは別に設けるものであるため、開閉部材の動きを強く規制しなくとも良く、小さい操作力でスムーズに開くことができ、写真等の取替作業を、より一層簡単に行うことができるという効果がある。
【００６９】
本発明において、開閉部材を額本体の両側に設ける場合には、写真等の両側縁部を抑圧固定することができるので、写真等を安定状態に保持することができるという利点がある。
【００７０】
本発明の額は、前面からの操作により写真等を取り替えることができるので、壁付けタイプの額として好適に使用することができる。
【００７１】
本発明において、開閉部材を壁面との間に隙間を設けて配置する場合には、開壁面と干渉を避けながら、開閉部材を開閉することができるので、写真等の取替作業をスムーズに行うことができるという利点がある。
【００７２】
本発明において、縦桟及び横桟を弾性変形しつつ、その交差部が壁面に接合して固定する場合には、額本体の外周縁部背面側を壁面に密着させることができるため、額本体の外周縁部が壁面から浮き上がったり、額本体が不用意に回転して位置ずれする等の不具合を有効に防止することができるという利点がある。
【００７３】
本発明において、開閉部材を、梃子を利用した開閉レバーにより構成する場合には、開閉レバーの開閉操作を、より一層スムーズに行うことができるという利点がある。
【００７４】
本発明において、開閉レバーを開いた状態に保持するためのレバー保持手段を設ける場合には、開閉レバーから手を離して、写真等の出し入れを行うことができるので、写真等の出し入れ作業を、より一層簡単に行うことができるという利点がある。
【００７５】
本発明において、透明シートの端縁に設けた爪片を、シート設置部の端縁に設けた爪挿入孔に挿入係合する場合には、透明シートの前方への浮き上がりを有効に防止することができるという利点がある。
【００７６】
また本発明において、透明シートに、シボ加工等による艶消し処理を施す場合には、透明シートにおける照明光等の直接反射を防止できるので、透明シート内の写真等を不具合なく鑑賞することができるという利点がある。
【図面の簡単な説明】
【図１】この発明の実施形態である額を示す斜視図である。
【図２】実施形態の額を分解して示す斜視図である。
【図３】実施形態の額を示す背面図である。
【図４】実施形態の額における開閉レバー周辺を分解して示す背面図である。
【図５】実施形態の額を示す水平断面図である。
【図６】実施形態の額における開閉レバー周辺をレバー閉塞状態で示す水平断面図である。
【図７】実施形態の額における開閉レバー周辺をレバー開放状態で示す水平断面図である。
【図８】実施形態の額における上枠周辺を拡大して示す側面断面図である。
【図９】実施形態の額における下枠周辺を拡大して示す側面断面図である。
【図１０】この発明の変形例である額を示す斜視図である。
【符号の説明】
１…額
２…額本体
１０…枠体
１０ａ…シート設置部
１１…上枠
１１ｃ…爪差込孔
１２…下枠
１２ｃ…爪差込孔
１３…側枠
１６ｂ…傾斜部（レバー保持手段）
１７…縦桟
１８…横桟
３…開閉レバー（開閉部材）
３１…レバー本体
３１ａ…押圧部
３１ｂ…操作部
３４…突出軸部（回転軸部）
５…透明シート
５ａ…爪片
６…写真
Ｗ…壁面
【図１】
2004223119.tif 000003
【図２】
2004223119.tif 000004
【図３】
2004223119.tif 000005
【図４】
2004223119.tif 000006
【図５】
2004223119.tif 000007
【図６】
2004223119.tif 000008
【図７】
2004223119.tif 000009
【図８】
2004223119.tif 000010
【図９】
2004223119.tif 000011
【図１０】
2004223119.tif 000012